(57)【特許請求の範囲】
【請求項１】
間仕切りを介して二つの収納室を有する容器本体と、前記容器本体の開口部を覆い前記各収納室を閉塞する中蓋とを有し、前記中蓋は前記間仕切りの上面に対応して形成されたヒンジを介して二つの開閉板に形成されており、前記各開閉板の裏面には前記各収納室に嵌脱自在に嵌挿する嵌合リブが突設されているとともに、前記各開閉板の基端側部は切り離されて前記ヒンジを軸に突出する弾性片に形成されており、前記各開閉板を開閉する際、前記弾性片が前記容器本体の開口部の上面に圧接することで前記各開閉板が弾性反転することを特徴とする化粧料容器。
【請求項２】
上面に係止溝が凹設された間仕切りを介して二つの収納室を有する容器本体と、前記容器本体の開口部を覆い前記各収納室を閉塞する中蓋とを有し、前記中蓋は前記係止溝に係止する突条が突設されているとともに前記突条の両側に沿って形成されたヒンジを介して二つの開閉板が形成されており、前記各開閉板の基端側部には前記各ヒンジを軸に突出する弾性片が形成されており、前記各開閉板を開閉する際、前記弾性片が前記容器本体の開口部の上面に圧接することで前記各開閉板が弾性反転することを特徴とする化粧料容器。
【請求項３】
各開閉板の裏面に各収納室に嵌脱自在に嵌挿する嵌合リブが突設されていることを特徴とする請求項２記載の化粧料容器。
【発明の詳細な説明】
【０００１】
【発明の属する技術分野】
本発明は、例えば、クリームやファンデーションなど、性質の異なる二つの化粧料を一つの容器に収納する化粧料容器に関する。
【０００２】
【従来の技術】
例えば、使用者が濃淡の異なるファンデーションを好みの色調に混合して使用する二種類のファンデーション、ワンセットとして使用される下地クリームとファンデーション、肌の古い角質を取り除くマスク剤と潤いを与えるマスク剤などのように、二つの性質の異なるクリーム状や乳液状の半流動性の化粧料を使用時に混合したり、連続して使用するタイプの化粧料がある。このタイプの化粧料は、二剤が混合されると長期間の保存に不都合な化学的反応したり分離や沈殿がおこる為、二剤が触れ合わないように保存しておく必要がある。従って、従来からチューブなどの個別の容器に収納して、ワンセットとして提供されているものが多いが、商品として一体性に欠けるうえに、携帯性がわるかった。
【０００３】
そこで、図７に示す化粧料容器が提供されている。この従来の広口の化粧料容器の容器本体５０は、間仕切り５１を介して化粧料を充填する二つの収納室５２、５２が形成されており、各収納室５２、５２の開口部に摘み５３が付設された中蓋５４、５４が着脱自在に嵌込まれ、一つの容器に二つの化粧料を隔離して収納できる構成となっている。
【０００４】
【発明が解決しようとする課題】
ところで、この従来の化粧料容器は、前記の問題を解決してはいるが、利用者が中蓋５４、５４を二つとも開けたまま化粧をすると、各収納室５２、５２の開口部が近接している為に、間仕切り５１近傍で保存中の化粧料同士が混合する危険度が極めて高い。また、各中蓋５４、５４を一つづつ開いて使用したとしても、一方の中蓋５４の外面が他方の化粧料で汚染され易く、中蓋の外面に付着した化粧料により、二剤が混合する心配もあった。
【０００５】
また、化粧をするとき、中蓋５４を容器本体５０から取り外して裏返しにして置かなければならず、中蓋５０の置き場所が必要なうえに、中蓋５０の裏面に付着した化粧料で周囲を汚染する心配がありその取り扱いには充分な注意が要求された。従って、利用者にとって取り外した中蓋５４の取り扱いが煩わしく、使い勝手がよいとはいえなかった。
【０００６】
本発明は、上記問題に鑑みてなされたもので、一つの容器に収納された性質の異なる半流動性の二つの化粧料が、使用時や保管時に混合する心配がなく、取り扱い易い広口の化粧料容器にすることを課題としている。
【０００７】
【課題を解決するための手段】
上記の問題点を解決するために、本発明は、間仕切りを介して二つの収納室を有する容器本体と、前記容器本体の開口部を覆い前記各収納室を閉塞する中蓋とを有し、前記中蓋は裏面に前記間仕切りの上面に対応して形成されたヒンジを介して二つの開閉板に形成されており、前記各開閉板の裏面には前記各収納室に嵌脱自在に嵌挿する嵌合リブが突設されているとともに、前記各開閉板の基端側部は切り離されて前記ヒンジを軸に突出する弾性片に形成されており、前記各開閉板を開閉する際、前記弾性片が前記容器本体の開口部の上面に圧接することで前記各開閉板が弾性反転する構成とした。即ち、中蓋を容器本体から取り外すことなく各開閉板を交互に開閉できるとともに、開かれた開閉板が開き姿勢を保持して収納室間の汚染の障壁とすることができるものである。
【０００８】
また、間仕切り上面に係止溝を凹設し、中蓋に突条を突設して前記係止溝に係止させるとともに、前記突条の両側に沿ってヒンジを設け、このヒンジを介して二つの開閉板を形成し、開閉板の裏面に嵌合リブがない中蓋の構成としてもよい。
【０００９】
更に、上記開閉板に嵌合リブを突設して収納室の気密性を高めることができる。
【００１０】
【発明の実施の形態】
以下、本発明の好適な実施の形態を添付図面を参照しながら詳細に説明する。
【００１１】
図１乃至図３は、本発明の化粧料容器の第一の実施の形態を示すもので、広口の頚部２を立設した容器本体１と、この容器本体１の開口部９の上面３を覆う中蓋１０と、前記頚部２に螺着する蓋体２０とから構成され、一般にクリーム容器と呼称されている形状の化粧料容器である。
【００１２】
容器本体１は、図２に示すように、硬質の合成樹脂材料を用いて形成され、有底筒状の外胴４と、該外胴４に嵌込まれた内胴５とから構成されており、該内胴５の内側は間仕切り６によって二つの収納室７ａ、７ｂに区画されているとともに、内胴５の上部は外周面に雄螺子８を螺設した容器本体１の頚部２となっている。そして、頚部２の上端部は上向きの段部２ａを介して頚部２の外径よりもやや小径の開口部９が開設されている。尚、容器本体１は外胴４と内胴５との二部品にすることなく、射出成形による一体成形物であってもよいことは言うまでもない。
【００１３】
中蓋１０は、ポリプロピレン、ポリエチレン、ポリアミドなどの合成樹脂材料やエラストマーなど可撓性のある材料を用いて円盤状に形成されており、その裏面には、容器本体１の間仕切り６の上面に対応して薄肉細溝状に刻設されたヒンジ１１が形成されており、該ヒンジ１１を介して回動する二つの開閉板１２ａ、１２ｂで構成されている。そして、中蓋１０の直径は容器本体１の開口部９よりも径大に形成され開閉するとき中蓋１０の周縁部１０ａ下面に指先が掛けられるようになっている。
【００１４】
また、各開閉板１２ａ、１２ｂの裏面には各収納室７ａ、７ｂの口部に嵌脱自在に嵌挿する環状の嵌合リブ１３ａ、１３ｂが突設されているとともに、各開閉板１２ａ、１２ｂの回動基端両側部は切り離されてヒンジ１１を軸に各開閉板１２ａ、１２ｂの基端後方に突出する舌片状の弾性片１４ａ、１４ｂに形成されている。尚、該弾性片１４ａ、１４ｂは、図に示すように、各開閉板１２ａ、１２ｂの両側部に設けてもよいが、各開閉板１２ａ、１２ｂの片側部だけに設けてもよく（図示省略）、その形状も図示のものに限定されるものではない。
【００１５】
蓋体２０は、内周面に雌螺子２１が設けられた通常の螺子蓋であり、その裏面にはパッキン２２が嵌込まれている。
【００１６】
本実施の形態の化粧料容器は以上のように構成されており、二つの収納室７ａ、７ｂにそれぞれ異種の半流動性の化粧料を充填して中蓋２０を被せ、中蓋２０の各開閉板１２ａ、１２ｂの各嵌合リブ１３ａ、１３ｂを対応する各収納室７ａ、７ｂに嵌挿して容器本体１の開口部９の上面３に嵌着させてある。嵌合リブ１３ａ、１３ｂは中蓋１０の嵌着手段であるとともに化粧料を気密に保つ密閉手段でもある。従って、蓋体２０のパッキン２２を省く構成にすることも可能である。
【００１７】
化粧をするときは、図３に示すように、先に使用する化粧料が充填された収納室７ｂの開閉板１２ｂの周縁部１０ａ下面に指先を掛け、もう一方の開閉板１２ａの上面を指で押さえながら引き上げる。このとき、押さえている側の開閉板１２ａが収納室７ａにぴったり嵌着していて中蓋１０の抜け止めとなり、使用する収納室７ｂの開閉板１２ｂだけがヒンジ１１を軸に回動する。回動する開閉板１２ｂの弾性片１４ｂは開口部９の上面３に圧接し、開閉板１２ｂが所定の開き角度に達すると、弾性片１４ｂは圧接して屈曲した状態から反転して弾性的に開放される。従って、開閉板１２ｂはクリック感を伴って開蓋し、反転した弾性片１４ｂによって開き姿勢が維持される。
【００１８】
開口部９の上面３に開き姿勢を保つ開閉板１２ｂは、開かれた収納室７ｂと閉じられたままの収納室７ａとの間を高く遮り、化粧料の取り出し中におこる閉じた開閉板１２ａ側への汚染の障壁となっている。従って、利用者は隣り合う二剤を混合させる心配なく開かれた収納室７ｂから化粧料を取り出すことができる。また、中蓋１０は容器本体１に嵌着したままであるので中蓋１０の置き場に困るようなことがない。
【００１９】
次に、開いた開閉板１２ｂを閉じると、開くときと同様に、所定の閉じ角度で弾性片１４ｂはクリック感を伴って弾性的に再反転し、開閉板１２ｂは閉じられていた元の状態に復帰する。開閉板１２ｂが閉状態にあるときは、弾性片１４ｂが開き方向への動きを弾性的に阻止するストッパとして作用している。従って、開閉板１２ｂが不用意に開くことがない。また、もう一方の収納室７ａの化粧料を使用するときの開閉板１２ａの操作および動作と効果は前述の開閉板１２ｂと全く同じである。
【００２０】
図４乃至図６は、本発明の第二の実施の形態を示すものである。図において、上記第一の実施の形態と共通する部分については同一符合を付しその説明を省略する。
【００２１】
本実施の形態では、容器本体１の間仕切り６は先の実施の形態よりも広幅に形成されていて、その上面には係止溝６ａが凹設されており、間仕切り６に対応する中蓋１０の裏面に突設された突条１５を前記係止溝６ａに圧入することにより、中蓋１０は容器本体１の開口部９の上面３に取り付けられている。また、中蓋１０の裏面には突条１５の両側に沿って薄肉細溝状のヒンジ１１、１１が刻設されており、この二条のヒンジ１１、１１を介して二つの開閉板１２ａ、１２ｂが形成されている。そして、各開閉板１２ａ、１２ｂの基端両側部には前記各ヒンジ１１、１１を基軸にして突出する弾性片１４ａ、１４ｂが形成されている。
【００２２】
先の実施の形態と同様に、本実施の形態は、図５に示すように、開閉板１２ａを開くと弾性片１４は開口部９の上面３に圧接し、開閉板１２ａが所定の開き角度を越えるとクリック感を伴って弾性反転し、図６に示すように、開閉板１２ａは開き状態に維持されるようになっている。また、突条１５を係止溝６ａに係止させることにより中蓋１０を間仕切り６上面に取り付ける構成としたので、先の実施の形態に於いて収納室７に中蓋１０を係止する為に設けた開閉板１２ａ、１２ｂ裏面の嵌合リブは必要としない。但し、気密性を高めるために嵌合リブを設けてもよいことは言うまでもない（図示省略）。また、本実施の形態では、一方の開閉板を開くときもう一方の開閉板を押さえる必要がなく、開蓋操作が簡単になっている。
【００２３】
【発明の効果】
以上説明したような形態で実施される本発明の化粧料容器は、以下に記載されるような効果を奏する。
【００２４】
間仕切りを介して二つの収納室を有する容器本体の上面に、ヒンジを介して回動する二つの開閉板に形成された中蓋を取り付けるとともに、前記開閉板にヒンジを軸に突出する弾性片を形成し、開閉板を開閉する際、弾性片が容器本体の開口部上面に圧接することで開閉板が弾性反転する構成としたので、開閉板を開閉するときクリック感が伴って操作感触が良いうえに、中蓋は容器本体に嵌着したままであるので中蓋の置き場に困ることがなく、且つ、中蓋に付着した化粧料で周囲を汚染する心配がない。
【００２５】
また、開かれた開閉板は弾性片によって容器本体の開口部上面に９０度以上の開き姿勢が維持されるので化粧料が取り出し易いうえに、各収納室間を高く遮る障壁となるとともに、もう一方の収納室を覆う開き姿勢にもできるので利用者による化粧料の取り出し中におこりがちな化粧料の混合が防止できる。
【００２６】
また、成形の簡単な一つの中蓋で二つの収納室を密閉できる構成としたので経済的であり、気密性の高い使い勝手のよい広口の化粧料容器を安価に提供できる。
【図面の簡単な説明】
【図１】本発明の化粧料容器の第一の実施の形態を示す、（ａ）は分解斜視図、（ｂ）は（ａ）の中蓋を裏面から一部を破断して見た斜視図。
【図２】図１の断面図。
【図３】図１の化粧料容器の使用状態を示す斜視図。
【図４】本発明の化粧料容器の第二の実施の形態を示す分解斜視図。
【図５】図４の化粧料容器の中蓋の開き過程を示す斜視図。
【図６】図４の化粧料容器の中蓋の開ききった状態を示す説明図。
【図７】従来例を示す分解斜視図。
【符号の説明】
１  容器本体，６  間仕切り，６ａ  係止溝，７ａ、７ｂ  収納室，９  開口部，１０  中蓋，１１  ヒンジ，１２、１２ａ、１２ｂ  開閉板，１３ａ、１３ｂ  嵌合リブ，１４ａ、１４ｂ  弾性片，１５  突条，
【図１】
0003836538.tif 000002
【図２】
0003836538.tif 000003
【図３】
0003836538.tif 000004
【図４】
0003836538.tif 000005
【図５】
0003836538.tif 000006
【図６】
0003836538.tif 000007
【図７】
0003836538.tif 000008